(57)【特許請求の範囲】
【請求項１】
１）ベースコート層を、ＥＤＣプライマーを備えた基材に１０〜３５μｍの範囲の全体プロセス膜厚で塗布する工程と、
２）クリアコート層を前記ベースコート層上へ塗布する工程と、
３）前記ベースコート層およびクリアコート層を一緒に硬化させる工程と
の連続工程を含む、多層コーティングの製造方法であって、
ベースコート層が第１層におよび第２層に塗布され、前記第１層が、未変性水性ベースコートを顔料入り混合剤成分と混合することによって調製された変性水性ベースコートを含み、そして前記第２層が前記未変性水性ベースコートを含み、
前記未変性水性ベースコートが２５μｍより大きい黒／白不透明度を有し、
前記混合剤成分が混合剤成分Ｉおよび混合剤成分ＩＩからなる群から選択され、ここで、混合剤成分Ｉは１種もしくはそれ以上のバインダーＡを含み、０．０５：１〜１．５：１の顔料コンテント対樹脂固形分コンテントの重量比を有し、そして０．１〜２．５部のバインダーＡ：１部の未変性水性ベースコートの樹脂固形分の重量比で前記未変性水性ベースコートに混ぜ込まれ、かつここで、混合剤成分ＩＩは１種もしくはそれ以上のポリイソシアネートを含み、０．０５：１〜０．５：１の顔料コンテント対樹脂固形分コンテントの重量比を有し、そして０．２〜１部のポリイソシアネート：１部の前記未変性水性ベースコートの樹脂固形分の重量比で前記未変性水性ベースコートに混ぜ込まれ、そして、  前記混合剤成分の前記顔料コンテントが、工程３）後に達成される多層コーティングが変性水性ベースコートから塗布された層および前記未変性水性ベースコートから塗布された層の両方の個々のプロセス膜厚のいずれの場合も少なくとも８０％から色合いの一貫性を達成するようにされ、
前記変性水性ベースコートの第１ベースコート層のプロセス膜厚が５〜２５μｍの範囲にあり、そして前記未変性水性ベースコートの第２ベースコート層のプロセス膜厚が３〜２０μｍの範囲にあり、
前記混合剤成分の前記顔料コンテントが８０重量％もしくはそれ以上のカーボンブラック、二酸化チタンまたはカーボンブラックと二酸化チタンとの組み合わせを含む、方法。
【請求項２】
請求項１に記載の方法に従って製造された多層コーティングでコートされた基材。
【発明の詳細な説明】
【技術分野】
【０００１】
本発明は、多層コーティングの製造方法に関する。
【背景技術】
【０００２】
自動車コーティングは一般に、別々にベークされた電着コーティング（ＥＤＣ）プライマーと、それに塗布された、別々にベークされたプライマーサーフェーサー層（フィラー層）と、それに塗布されたウェット−オン−ウェット塗布カラーおよび／または特殊効果付与ベースコート層および保護用光沢付与クリアコート層を含むトップコートとを含む。プライマーサーフェーサーとベースコート層厚さは合わせて一般に３０〜６０μｍであり、メタリック色合いの場合にはさらに３０〜４５μｍのより低い範囲にある。
【０００３】
装飾的多層コーティングの製造方法は、国際公開第９７／４７４０１号パンフレットおよび米国特許第５，９７６，３４３号明細書から公知であり、それらの方法は、勿論、コーティング材料消費および全体層厚さを減らす、プライマーサーフェーサー層の塗布および別々のベーキングの排除を可能にする。これらの方法では、第１変性(modified)水性ベースコートと、第２未変性水性ベースコートとクリアコートとを含む多層コーティング構造は、ベークされたＥＤＣプライマーに塗布されるこれら３つのコーティング層の同時硬化を含むウェット−オン−ウェット法で塗布される。実際には、これらの方法は、通常のプライマーサーフェーサーとベースコートとのそれより、おおよそ１５〜２５μｍだけ著しく低い全体層厚さを可能にする２つのベースコート層を使用する。変性水性ベースコートは、これらの方法では混合剤成分と混合することによって未変性水性ベースコートから製造される。変性水性ベースコートは通常のプライマーサーフェーサーに取って代わる。国際公開第９７／４７４０１号パンフレットは混合剤成分として、ポリイソシアネート架橋剤の添加を推奨しているが、米国特許第５，９７６，３４３号明細書はポリウレタン樹脂の添加を記載している。
【０００４】
国際公開第９７／４７４０１号パンフレットおよび米国特許第５，９７６，３４３号明細書から公知の方法の弱点は、ある種の色合いの多層コーティングを製造することが簡単に可能ではないことである（「問題のある色合い」）。プライマーサーフェーサー層なしの多層コーティングの製造に関して問題のある色合いは、低い遮蔽力のそれらの色合いである。かかる色合いは、基材が変性および未変性水性ベースコートから製造されたベースコート層を通して透けて見えるので問題がある。色合いが一様でない基材の場合に、および／またはベースコート層の膜厚の変動（基材上の膜厚の一様でない分布）に起因して、色合いの非一様性が認められる。ベーク硬化ＥＤＣプライマーコーティングは特に、それらがしばしばベーク硬化中の対象物温度の局部的な差の結果として厳しい局部的な変色を受けるので、色合いの点で一様でない問題のある基材の例である。
【０００５】
この問題は、変性および／または未変性水性ベースコートを全体的により高い、不透明な層厚さで塗布することによって解決することができた。しかしながら、これは、高い全体膜厚の方向での逆行する技術的ステップであり、高い不透明膜厚は幾つかの塗布ではビルドアップされなければならず、それは最大限に経済的なコーティング法を確実にするのに役立たないであろう。
【０００６】
未変性水性ベースコートの顔料コンテントを上げることは、一方では、決定的に重要な顔料体積濃度によって制限されるが、一般にはまた、完成したコーティングの必要とされる技術的特性に関して実行可能ではない。
【発明の開示】
【課題を解決するための手段】
【０００７】
本発明は、
１）ベースコート層を、ＥＤＣプライマーを備えた基材に１０〜３５μｍの範囲の全体プロセス膜厚で塗布する工程と、
２）クリアコート層をベースコート層上へ塗布する工程と、
３）ベースコート層およびクリアコート層を一緒に硬化させる工程と
の連続工程を含む、多層コーティングの製造方法であって、
ベースコート層が第１層におよび第２層に塗布され、第１層が、未変性水性ベースコートを顔料入り混合剤成分と混合することによって調製された変性水性ベースコートを含み、そして第２層が未変性水性ベースコートを含み、
未変性水性ベースコートが２５μｍより大きい黒／白不透明度（黒／白遮蔽力）を有し、
混合剤成分が混合剤成分Ｉおよび混合剤成分ＩＩからなる群から選択され、ここで、混合剤成分Ｉは１種もしくはそれ以上のバインダーＡを含み、０．０５：１〜１．５：１の顔料コンテント対樹脂固形分コンテントの重量比を有し、そして０．１〜２．５部のバインダーＡ：１部の未変性水性ベースコートの樹脂固形分の重量比で未変性水性ベースコートに混ぜ込まれ、かつここで、混合剤成分ＩＩは１種もしくはそれ以上のポリイソシアネートを含み、０．０５：１〜０．５：１の顔料コンテント対樹脂固形分コンテントの重量比を有し、そして０．２〜１部のポリイソシアネート：１部の未変性水性ベースコートの樹脂固形分の重量比で未変性水性ベースコートに混ぜ込まれ、そして、
混合剤成分の顔料コンテントが、工程３）後に達成される多層コーティングが変性水性ベースコートから塗布された層のおよび未変性水性ベースコートから塗布された層の両方の個々のプロセス膜厚のいずれの場合も少なくとも８０％から（それが技術的意味をなす限り、いずれの場合も８０％以上から）色合いの一貫性を達成するようにされる方法を指向する。
【発明を実施するための最良の形態】
【０００８】
コーティング層について本説明におよび特許請求の範囲に示される膜厚は、いずれの場合も乾燥膜厚を意味する。本説明および特許請求の範囲では用語「プロセス膜厚」が用いられる。この用語の意味は、本明細書で下に説明される。
【０００９】
用語「黒／白不透明度」が本説明および特許請求の範囲に用いられる。それは、コーティング組成物でコートされた黒および白チャートの黒領域と白領域とのコントラストがもはや視覚的に識別できないコーティング組成物の乾燥コーティング厚（５つの独立した個体による評価に基づいて測定された平均コーティング厚値）を意味する。ＩＳＯ  ６５０４−３：２００６（Ｅ）、方法Ｂに従って、このコーティング厚を測定するために、黒／白不透明度が調べられるべきであるコーティング組成物は、黒および白チャート上へ楔形に塗布され、乾燥させられまたは硬化させられてもよい。
【００１０】
本説明および特許請求の範囲に用いられる用語「顔料コンテント」は、フィラー（増量剤）なしのコーティング組成物中に含有される顔料全ての合計を意味する。用語「顔料」は本明細書では、特殊効果顔料、無機ホワイト、着色およびブラック顔料ならびに有機着色およびブラック顔料に加えて、ＤＩＮ  ５５９４４およびカバーと同様に用いられる。同時に、それ故、ＤＩＮ  ５５９４４は、顔料とフィラーとを区別している。
【００１１】
本説明および特許請求の範囲は、「１種もしくはそれ以上のバインダーＡ」に言及している。これは、未変性水性ベースコートのバインダーと混合剤成分ＩのバインダーＡとを区別する働きをする。
【００１２】
本説明および特許請求の範囲に用いられる語句「変性水性ベースコートから塗布された層のおよび未変性水性ベースコートから塗布された層の両方の個々のプロセス膜厚のいずれの場合も少なくとも８０％から多層コーティングの色合いの一貫性」は、比較されるべき、そして変性水性ベースコート、未変性水性ベースコートおよびクリアコートから塗布された多層コーティング間の色差デルタＥ［デルタＥはゴニオ分光光度比色分析によって測定することができ、それは（デルタＬ*2＋デルタＣ*2＋デルタｈ*2）の平方根に等しく；Ｌ*、Ｃ*、ｈ*＝明度、クロマ、色相である］が、変性水性ベースコートからおよび未変性水性ベースコートからの両方から塗布されたベースコート層が個々のプロセス膜厚の８０％もしくはそれ以上にそれぞれ塗布された場合に十分に小さいことを意味する。ソリッドカラー（シングルトーン色合い；一般に観測角と無関係である；特殊効果顔料なしでの顔料コンテント）の場合、垂線に対して４５°の照明角度および正反射に対して４５°の観測角で測定された０．４未満のデルタＥ値は十分に小さく、従って上記の意味で色合いの一貫性を表す。特殊効果色合い（観測角に依存する；顔料コンテントが少なくとも１種の特殊効果付与顔料を含む）の場合、デルタＥ値が垂線に対して４５°の照明角度でおよび正反射に対して１５、２５、４５、７５および１１０°の観測角で測定されるときいずれの場合も２未満であるならばデルタＥ値は十分に小さい。
【００１３】
ゴニオ分光光度比色分析で、コーテッド表面の、例えば、３８０〜８００ｎｍの範囲の可視光の反射率曲線は、１つもしくはそれ以上の異なる観測角で測定される。反射率曲線は、例えば、５つの観測角で、例えば、正反射に対して１５、２５、４５、７５および１１０°で測定されてもよい。反射率曲線は、通常のＣＩＥＬ*ａ*ｂ*システム比色分析パラメーターＬ*（明度）、ａ*（レッド−グリーン値）、ｂ*（イエロー−ブルー値）、そしてさらにまたＣ*（クロマ）およびｈ*（色相）（ＤＩＮ  ６１７４を参照されたい）を計算するための基盤として用いられてもよく、またはこれらの値は測定機器から直接出力される。反射率曲線は、当業者に公知の任意の通常の色彩計、例えば、会社Ｘ−ライト（Ｘ−Ｒｉｔｅ）によって販売されるＸ−ライトＭＡ６８ＩＩ機器を用いて測定されてもよい。
【００１４】
本発明による方法では、ＥＤＣプライマー、好ましくは陰極電着（ＣＥＤ）コーティングを備えた通常の基材がコートされる。特に、基材は自動車車体または自動車車体部品である。ＥＤＣプライマーを備えた基材の製造は当業者に公知である。
【００１５】
本発明による方法の工程１）で、ＥＤＣプライマーを有する基材が１０〜３５μｍの範囲の全体プロセス膜厚でベースコート層を提供される。このベースコート層は２つの層で塗布される、すなわち、例えば、未変性水性ベースコートを混合剤成分と混合することによって製造された変性水性ベースコートの５〜２５μｍの範囲の個々のプロセス膜厚を有する第１層が塗布され、そして黒／白不透明度より下の個々のプロセス膜厚での、例えば、未変性水性ベースコートの３〜２０μｍの範囲での、それに続く第２層が塗布される。ベースコート層の全体プロセス膜厚は、とりわけ色合いに依存する。ベースコート膜厚に対する自動車製造業者の要求は、いわゆるプロセス膜厚（自動車の元のコーティングプロセスで全体車体の一面に望まれる平均膜厚）で表現され、それは個々の色合いに、達成されるべき技術的特性（例えば、耐ストーンチップ性）に、および関連水性ベースコートの経済的塗布に、すなわち、できるだけ薄いフィルムでの塗布に依存する。全体ベースコート・プロセス膜厚は１０〜３５μｍの範囲にあり、例えば、変性水性ベースコートの５〜２５μｍと、例えば、未変性水性ベースコートの３〜２０μｍとの合計である。ベースコートについてのかかる膜厚は、関連基材、例えば、自動車車体のコーティングに対する要件を満たす。特に、これは、１０〜３５μｍのこの範囲内の特有の値が特定のベースコート、例えば、特定の色合いのベースコートについての特有の全体プロセス膜厚を表すことを意味する。前記特有の全体プロセス膜厚は本明細書では、相当する変性水性ベースコートの、例えば、５〜２５μｍの範囲内にある、特有の個々のプロセス膜厚と、相当する未変性水性ベースコートの、例えば、３〜２０μｍの範囲内にある、特有の個々のプロセス膜厚との合計からなる。
【００１６】
本発明では、未変性水性ベースコートと変性水性ベースコートとの間に区別がつけられる。
【００１７】
混合剤成分ＩまたはＩＩと混合することによって変性水性ベースコートが製造されてもよい未変性水性ベースコートは、例えば、０．０５：１〜１：１の顔料コンテント対樹脂固形分コンテントの重量比を有する水性コーティング組成物である。水、顔料、バインダー、場合により、ペースト樹脂および場合により、架橋剤を含む、樹脂固形分コンテント、場合により、フィラーならびに場合により、有機溶剤に加えて、未変性水性ベースコートは一般にまた、通常の添加剤を含有する。
【００１８】
未変性水性ベースコートは、イオン的におよび／または非イオン的に安定化されたバインダーシステムを含有する。イオン的安定化の場合には陰イオン的安定化が好ましい。陰イオン的安定化は、バインダー中の少なくとも部分的に中和されたカルボキシル基によって好ましくは達成されるが、非イオン的安定化は、バインダー中のラテラルまたは末端ポリエチレンオキシド単位によって好ましくは達成される。未変性水性ベースコートは、物理的に乾燥性であってもよいし、または共有結合の形成によって架橋性であってもよい。共有結合を形成する架橋性の未変性水性ベースコートは、自己架橋性または外部架橋性システムであってもよい。
【００１９】
未変性水性ベースコートは、１種もしくはそれ以上の通常のフィルム形成バインダーを含有する。それらは場合によりまた、バインダーが自己架橋性ではないかまたは物理的に乾燥性でない場合には架橋剤を含有してもよい。使用されてもよい、フィルム形成バインダーの例は、通常のポリエステル、ポリウレタン、（メタ）アクリル共重合体および／またはこれらのクラスの樹脂から誘導されたハイブリッド樹脂である。場合により含有される架橋剤の選択は、当業者におなじみのように、バインダーの官能性に依存する、すなわち、架橋剤は、それらがバインダーの官能性に相補的な反応官能性を示すようなやり方で選択される。バインダーと架橋剤との間のかかる相補的な官能性の例は、カルボキシル／エポキシ、ヒドロキシル／メチロールエーテルおよび／またはメチロール（アミノプラスト樹脂、特にメラミン樹脂の架橋性基としての、好ましくはメチロールエーテルおよび／またはメチロール）である。
【００２０】
用語「ポリウレタン樹脂」は、本発明で用いられるところでは、問題のポリウレタン樹脂がまた、特に、エステル基及び／又はウレア基などの、ウレタン基以外の基をポリマーバックボーン中に含有してもよいことを排除しない。代わりに、用語「ポリウレタン樹脂」は勿論、また特に、ポリエステルポリオール構成要素および／またはウレア基を含有するポリウレタン樹脂であって、後者が、例えば、イソシアネート基と水および／またはポリアミンとの反応によって形成されてもよいポリウレタン樹脂を含む。
【００２１】
本発明による方法が混合剤成分ＩＩで行われる場合、１種もしくはそれ以上のヒドロキシル官能性バインダーを含む樹脂固形分コンテントを含む未変性水性ベースコートで作業することが好ましい。本明細書では、未変性水性ベースコートの樹脂固形分コンテントのヒドロキシル値は、例えば、１０〜１５０ｍｇのＫＯＨ／ｇの範囲にあり、変性水性ベースコートにおけるＮＣＯ／ＯＨモル比は、例えば、０．５：１〜２５：１である。しかしながら、低いヒドロキシルのまたはヒドロキシルを含まない樹脂固形分コンテントの未変性水性ベースコートの場合には、より高いＮＣＯ／ＯＨモル比がまた、相当する変性水性ベースコートで生じるかもしれない。例えば、ＮＣＯ／ＯＨモル比は無限大に向かって伸びることさえあるかもしれない。かかる場合には、変性水性ベースコート中のポリイソシアネートは、イソシアネート基との関連で反応性である他の成分との、例えば、水、ヒドロキシル官能性溶剤との、および／またはイソシアネートと反応性であり、そしてヒドロキシル基とは異なるバインダーの官能基との反応によって消費される。
【００２２】
未変性水性ベースコートは通常の顔料、例えば、特殊効果顔料および／またはホワイト、着色およびブラック顔料の中から選択された顔料を含有する。
【００２３】
特殊効果顔料の例は、例えば、アルミニウム、銅または他の金属の、非リーフィング金属顔料、例えば、金属酸化物コーテッド金属顔料、例えば、酸化鉄コーテッドアルミニウム、例えば、二酸化チタンコーテッド雲母などのコーテッド雲母などの、干渉顔料、グラファイト効果付与顔料、フレーク形態の酸化鉄、液晶顔料、コーテッド酸化アルミニウム顔料、コーテッド二酸化ケイ素顔料などの、観測角に依存してカラーフロップおよび／または明度フロップをコーティングに与える通常の顔料である。
【００２４】
ホワイト、着色およびブラック顔料の例は、例えば、二酸化チタン、酸化鉄顔料、カーボンブラック、アゾ顔料、フタロシアニン顔料、キナクリドン顔料、ピロロピロール顔料、ペリレン顔料などの、当業者に公知の通常の無機または有機顔料である。
【００２５】
未変性水性ベースコートは、２５μｍより大きい黒／白不透明度を有する、すなわち、それらは、問題のある色合いの、低い遮蔽力の水性ベースコートである、すなわち、それらは、それらの種類および／または量に従って低い遮蔽力を可能にするにすぎない顔料を含む。例は特に、高められた輝度および色純度によって特に区別される、ある種の、特に明るいブルー、レッド、イエローまたはオレンジ色合いの水性ベースコートである。それらは、純粋な色合い、または雲母もしくは金属色合いなどの特殊効果色合いを含んでもよい。
【００２６】
未変性水性ベースコートは一般に、２５μｍより大きいそれらの黒／白不透明度にもかかわらず、ＵＶ透過率に関して決定的に重要ではないものを含む。言い換えれば、かかる未変性水性ベースコートからのみの１０〜３５μｍの範囲内の特有の全体プロセス膜厚に塗布されたベースコート層は、ＵＶ光に、２８０〜３８０ｎｍの波長範囲で０．１％より下の、３８０〜４００ｎｍの波長範囲で０．５％より下の、そして４００〜４５０ｎｍの波長範囲で１％より下のＵＶ透過率値に従ってのみ透過させる。ＵＶ透過率に関して決定的に重要ではない、かかる未変性水性ベースコートは、特定の未変性水性ベースコートからのみの１０〜３５μｍの範囲内の特有の全体プロセス膜厚に塗布されたベースコート層がＵＶ光に、２８０〜３８０ｎｍの波長範囲で０．１％より下の、３８０〜４００ｎｍの波長範囲で０．５％より下の、そして４００〜４５０ｎｍの波長範囲で１％より下のＵＶ透過率値に従ってのみ透過させるようなやり方で構成される、すなわち、そうさせるようなタイプ（顔料コンテントを形成する顔料の定性的および定量的組成）のおよびそうさせるような量で顔料コンテントを含む。ＵＶ透過率は、関連未変性水性ベースコートを関連特有全体プロセス膜厚でＵＶ光透過性支持体、例えば、シリカガラスプレートに塗布し、そして相当するコートされていないＵＶ光透過性支持体を対照として用いて、相当する波長範囲でＵＶ透過率を測定することによって測定されてもよい。
【００２７】
未変性水性ベースコートはまた、例えば、樹脂固形分コンテントに対して０〜３０重量％の割合でフィラーを含有してもよい。フィラーは、未変性水性ベースコートの顔料コンテントの部分を構成しない。例は、硫酸バリウム、カオリン、タルカム、二酸化ケイ素、層状ケイ酸塩、およびそれらの任意の混合物である。
【００２８】
特殊効果顔料は一般に、通常の市販の水性または非水性ペーストの形態で、場合により、好ましくは水希釈性有機溶剤および添加剤と組み合わせて最初に導入され、そして次に水性バインダーと混合される。粉状の特殊効果顔料は、ペーストをもたらすために好ましくは水希釈性有機溶剤および添加剤と先ず処理されてもよい。
【００２９】
ホワイト、着色およびブラック顔料および／またはフィラーは、例えば、ある割合の水性バインダー中で粉砕されてもよい。粉砕は好ましくはまた、特殊な水性ペースト樹脂中で行われてもよい。粉砕は、当業者に公知の通常のアセンブリで行われてもよい。調合物は次に、残りの割合の水性バインダーまたは水性ペースト樹脂で完成される。
【００３０】
未変性水性ベースコートは、それの固形分コンテントに対して、例えば、０．１〜５重量％の通常の量で通常の添加剤を含有してもよい。例は、消泡剤、湿潤剤、接着促進剤、触媒、平滑化剤、クレーター形成防止剤、増粘剤および光安定剤である。
【００３１】
未変性水性ベースコートの水含有率は、例えば、６０〜９０重量％である。
【００３２】
未変性水性ベースコートは、通常の溶剤を、例えば、好ましくは２０重量％未満、特に好ましくは、１５重量％未満の割合で含有してもよい。かかる溶剤の例は、モノ−または多価アルコール、例えば、プロパノール、ブタノール、ヘキサノール；グリコールエーテルまたはエステル、例えば、ジエチレングリコールジ−Ｃ１〜Ｃ６アルキルエーテル、ジプロピレングリコールジ−Ｃ１〜Ｃ６アルキルエーテル、エトキシプロパノール、エチレングリコールモノブチルエーテル；グリコール、例えば、エチレングリコールおよび／またはプロピレングリコール、およびそれらの二量体または三量体；例えば、Ｎ−メチルピロリドンなどのＮ−アルキルピロリドン；メチルエチルケトン、アセトン、シクロヘキサノンなどのケトン；芳香族または脂肪族炭化水素、例えば、トルエン、キシレンまたは線状もしくは分岐脂肪族Ｃ６〜Ｃ１２炭化水素である。
【００３３】
未変性水性ベースコートは、例えば、１０〜４０重量％の、好ましくは、１５〜３０重量％の固形分コンテントを有する。
【００３４】
本発明による方法の第１実施形態では、変性水性ベースコートは、０．１〜２．５部のバインダーＡ：１部の未変性水性ベースコートの樹脂固形分の重量比で顔料入り混合剤成分Ｉと混合することによって未変性水性ベースコートから製造される。多くの場合に、０．１〜１部のバインダーＡ：１部の未変性水性ベースコートの樹脂固形分で作業することが可能である。
【００３５】
未変性水性ベースコートへの顔料入り混合剤成分Ｉの添加は、生じた変性水性ベースコートに、完成した多層コーティングに重要である、例えば、耐ストーンチップ性などの、技術的特性を与える。このように、所望の色合い（コーテッド標準によって特定される色合い）でカラー一貫性のある多層コーティングが得られることがさらに確実にされる。
【００３６】
１種もしくはそれ以上のバインダーＡを含有する、そして顔料コンテントを含む混合剤成分Ｉは、例えば、２０〜１００重量％の、一般に、３０〜６０重量％の固形分コンテントの組成物である。揮発性物質コンテントは、可能な揮発性添加剤に加えて、水および／または有機溶剤によって形成される。固形分コンテントはそれ自体、樹脂固形分コンテントと、顔料コンテントを形成する顔料と、場合によりフィラーと、場合により非揮発性添加剤とからなる。フィラーは、顔料コンテントの部分を構成しない。顔料コンテント対樹脂固形分コンテントの重量比は０．０５：１〜１．５：１である。この比の値は、顔料対樹脂固形分コンテントの基本的に選択された比のおよび顔料コンテントを形成する個々の顔料の比重量の結果である。
【００３７】
混合剤成分Ｉの樹脂固形分コンテントは、１種もしくはそれ以上のバインダーＡと、場合により、バインダーＡとは異なり、そして別個の顔料粉砕媒体としてまたは顔料粉砕助剤（いわゆる粉砕またはペースト樹脂）として使用される１種もしくはそれ以上の樹脂と、場合により、１種もしくはそれ以上の架橋剤、例えば、ブロックトポリイソシアネート、例えば、メラミン樹脂などのアミノプラスト樹脂とを含む。一般に、樹脂固形分コンテントは、ある程度まで１００重量％の少なくともバインダーＡから、または、重量百分率が合計１００重量％になる、例えば、７０〜９９重量％の少なくとも１種のバインダーＡと、１〜２０重量％のバインダーＡとは異なる少なくとも１種の粉砕樹脂と、０〜３０重量％の少なくとも１種の架橋剤とからなる。
【００３８】
混合剤成分ＩのバインダーＡは、未変性水性ベースコート中と同じバインダーおよび／またはそれとは異なるバインダーを含んでもよい。
【００３９】
バインダーＡは、通常の水希釈性の、好ましくは陰イオン的に安定化されたバインダー、例えば、相当するポリエステル、ポリウレタン、（メタ）アクリル共重合体および／またはこれらのクラスの樹脂から誘導されたハイブリッド樹脂である。ポリエステルおよび特にポリウレタン樹脂が好ましい。
【００４０】
特にカルボキシル基などの、水希釈性を確実にする基は別として、バインダーＡは、変性水性ベースコートのその後の熱硬化中に場合により進行する架橋反応にかかわるかもしれない官能基を含んでもよく、かかる架橋反応は特に付加および／または縮合反応である。バインダーＡはまた、自己架橋性であってもよい。バインダーＡの官能基の例は、ヒドロキシル基、ブロックトイソシアネート基およびエポキシ基である。
【００４１】
混合剤成分Ｉは、０．０５：１〜１．５：１の顔料コンテント対樹脂固形分コンテントの重量比を示す。顔料コンテントおよび樹脂固形分コンテントの固形分寄与の合計は、混合剤成分Ｉの、例えば、１５〜１００重量％、一般に、２５〜６０重量％である。
【００４２】
混合剤成分Ｉの顔料コンテントは、所与の（特定の）未変性水性ベースコート、所与の特有の全体プロセス膜厚（およびいずれの場合もまた変性水性ベースコートについておよび未変性水性ベースコートについて特有の個々のプロセス膜厚）、０．１〜２．５重量部のバインダーＡ：１重量部の未変性水性ベースコートの樹脂固形分の範囲での混合剤成分Ｉと未変性水性ベースコートとの所与の混合比、ならびに混合剤成分Ｉの０．０５：１〜１．５：１の顔料コンテント対樹脂固形分コンテントの所与の重量比で、特有の個々のプロセス膜厚の少なくとも８０％に塗布された変性水性ベースコートから、特有の個々のプロセス膜厚の少なくとも８０％に塗布された相当する未変性水性ベースコートから製造された多層コーティングとクリアコートとが色合いの一貫性を達成するようにされる。特に、混合剤成分Ｉの顔料コンテントは、タイプ（顔料コンテントを形成する顔料の定性的および定量的組成）および従って量によって選択される。
【００４３】
混合剤成分Ｉの顔料コンテントは特に、遮蔽力付与顔料を含む。好適な顔料コンテントは、例えば、高められた割合のもの、例えば、８０もしくはそれ以上の重量％のカーボンブラックおよび／または二酸化チタンである。例えば、個々の割合のカーボンブラックまたは二酸化チタンが、問題の個々の未変性水性ベースコートへの色合い調節に関して選択されてもよい。特に、９５もしくはそれ以上の重量％の二酸化チタンの割合での顔料コンテントが一般に好適であり、特にホワイト着色顔料コンテントに相当する。
【００４４】
一般に、混合剤成分Ｉの顔料コンテントを形成する顔料は粉砕される。粉砕は、当業者に公知の通常のアセンブリで行われてもよい。顔料は、少なくとも１種のバインダーＡの存在下に粉砕されてもよい。バインダーＡとは異なる１種もしくはそれ以上の粉砕樹脂が本明細書では粉砕助剤として加えられてもよい。あるいはまた、しかしながら、バインダーＡとは異なる粉砕樹脂または粉砕樹脂の混合物の形態での別個の粉砕媒体中で粉砕を行うこともまた可能である。
【００４５】
アルミニウムフレーク顔料は粉砕されないが、代わりに一般に、通常の市販の非水性ペーストの形態で最初に導入され、場合により、好ましくは水希釈性有機溶剤および場合により、添加剤と組み合わせられ、次にバインダーＡと混合される。粉状のアルミニウムフレーク顔料は、好ましくは水希釈性有機溶剤および場合により添加剤と先ず処理されてペーストをもたらしてもよい。
【００４６】
いったん顔料調製物が製造されたら、それらは、任意の残りのまたは欠けている成分と混合することによって完成した混合剤成分Ｉへ調合される。特に、粉砕がバインダーＡの存在下に行われなかった場合、後者は混ぜ込まれて完成した混合剤成分Ｉをもたらす。
【００４７】
混合剤成分Ｉは場合により、例えば、０〜５重量％より下の、１種もしくはそれ以上のフィラーを含有してもよい。混合剤成分Ｉに使用できるフィラーの例は、硫酸バリウム、カオリン、タルカム、二酸化ケイ素、および層状ケイ酸塩である。
【００４８】
混合剤成分Ｉは一般に水性組成物を含み、混合剤成分Ｉはその上、例えば、２０〜７０重量％の水を含有する。
【００４９】
それが水性または非水性組成物であるかどうかに関係なく、混合剤成分Ｉは１種もしくはそれ以上の有機溶剤を、例えば、５〜７０重量％の総量で含有してもよい。かかる溶剤の例は、一価または多価アルコール、例えば、プロパノール、ブタノール、ヘキサノール；グリコールエーテルまたはエステル、例えば、ジエチレングリコールＣ１〜Ｃ６ジアルキルエーテル、ジプロピレングリコールＣ１〜Ｃ６ジアルキルエーテル、エトキシプロパノール、ブチルグリコール；グリコール、例えば、エチレングリコールおよび／またはプロピレングリコール、およびそれらの二量体または三量体；Ｎ−アルキルピロリドン、例えばＮ−メチルピロリドンならびにケトン、例えば、メチルエチルケトン、アセトン、シクロヘキサノン；芳香族または脂肪族炭化水素、例えば、トルエン、キシレン、または線状もしくは分岐脂肪族Ｃ６〜Ｃ１２炭化水素である。溶剤は好ましくは水希釈性である。
【００５０】
少なくとも１種のバインダーＡと顔料コンテントを形成する顔料といずれの場合も任意の成分フィラー、水、有機溶剤および粉砕樹脂とに加えて、混合剤成分Ｉは、いずれの場合も、一般に６重量％以下の総量に相当する、例えば、０．１〜４重量％の割合で添加剤を含有してもよい。添加剤の例は、消泡剤、クレーター形成防止剤、湿潤剤、中和剤、光安定剤およびレオロジー調整剤である。
【００５１】
本発明による方法の第２実施形態では、変性水性ベースコートは、０．２〜１部、好ましくは０．２〜０．８部のポリイソシアネート：１部の未変性水性ベースコートの樹脂固形分の重量比で顔料入り混合剤成分ＩＩと混合することによって未変性水性ベースコートから製造される。
【００５２】
未変性水性ベースコートへの顔料入り混合剤成分ＩＩの添加は、得られた変性水性ベースコートに、完成した多層コーティングに重要である、例えば、耐ストーンチップ性などの、技術的特性を与える。このように、所望の色合い（コーテッド標準によって特定される色合い）でカラー一貫性のある多層コーティングが得られることがさらに確実にされる。
【００５３】
１種もしくはそれ以上のポリイソシアネートを含有する、そして顔料コンテントを含む混合剤成分ＩＩは、例えば、３０〜１００重量％の、一般に、４０〜９５重量％の、特に、５５〜９５重量％の固形分コンテントの組成物である。揮発性コンテントは、可能な揮発性添加剤に加えて、水および／または有機溶剤によって形成される。固形分コンテントはそれ自体、樹脂固形分コンテントと、顔料コンテントを形成する顔料と、場合によりフィラーと、場合により非揮発性添加剤とからなる。フィラーは顔料コンテントの部分を構成しない。顔料コンテント対樹脂固形分コンテントの重量比は０．０５：１〜０．５：１である。この比の値は、顔料対樹脂固形分コンテントの基本的に選択された比のおよび顔料コンテントを形成する個々の顔料の比重量の結果である。
【００５４】
混合剤成分ＩＩの樹脂固形分コンテントは、１種もしくはそれ以上のポリイソシアネートと場合により、別個の顔料粉砕媒体としてかまたは顔料粉砕助剤として使用される１種もしくはそれ以上の樹脂（「粉砕」または「ペースト」樹脂）とを含む。一般に、樹脂固形分コンテントは、ある程度まで１００重量％のポリイソシアネートから、または、重量百分率が合計１００重量％になる、例えば、８５〜９９重量％のポリイソシアネートと、１〜１５重量％の粉砕樹脂とからなる。
【００５５】
混合剤成分ＩＩに関連して用いられる用語「ポリイソシアネート」は、遊離のポリイソシアネートを意味することに限定されず、代わりにブロックトポリイソシアネートをまた含む。混合剤成分ＩＩに含有されるポリイソシアネートは従って、１種もしくはそれ以上の遊離のポリイソシアネート、１種もしくはそれ以上のブロックドポリイソシアネートまたは１種もしくはそれ以上の遊離のポリイソシアネートと１種もしくはそれ以上のブロックトポリイソシアネートとの組み合わせを含む。遊離のポリイソシアネートが好ましい。
【００５６】
ポリイソシアネートは、脂肪族に、脂環式に、芳香族脂肪族におよび／またはより少なく好ましくは芳香族に結合したイソシアネート基を持ったジ−および／またはポリ−イソシアネートを含む。
【００５７】
ポリイソシアネートは室温で液体であるかまたは有機溶液として存在し、ポリイソシアネートは本明細書では２３℃で一般に０．５〜２０００ｍＰａ・ｓの粘度を示す。遊離のまたは潜在的な（ブロックト、熱で再解離性の）イソシアネート基の形態で存在するポリイソシアネートのイソシアネート含有率は、一般に２〜２５重量％、好ましくは、５〜２５重量％（ＮＣＯとして計算されて）の範囲にある。
【００５８】
ジイソシアネートの例は、ヘキサメチレンジイソシアネート、テトラメチルキシリレンジイソシアネート、イソホロンジイソシアネート、ジシクロヘキシルメタンジイソシアネート、およびシクロヘキサンジイソシアネートである。
【００５９】
ポリイソシアネートの例は、イソシアネート基を連結する残基中にヘテロ原子を含有するものである。これらの例は、カルボジイミド基、アロファネート基、イソシアヌレート基、ウレチジオン基、ウレタン基、アシル化ウレア基またはビウレット基を含有するポリイソシアネートである。ポリイソシアネートは好ましくは、例えば、上述のジイソシアネートの二量化または三量化によって製造されるウレチジオンまたはイソシアヌレート・タイプのポリイソシアネートなどの、２より高いイソシアネート官能性を有する。さらなる例は、上述のジイソシアネートの水との反応によって製造され、そしてビウレット基を含有するポリイソシアネート、またはポリオールとの反応によって製造され、そしてウレタン基を含有するポリイソシアネートである。
【００６０】
ヘキサメチレンジイソシアネート、イソホロンジイソシアネートまたはジシクロヘキシルメタンジイソシアネートをベースとする、例えば、「コーティングポリイソシアネート」が特に好適である。これらのジイソシアネートをベースとする「コーティングポリイソシアネート」は、これらのジイソシアネートのそれ自体公知のビウレット、ウレタン、ウレチジオンおよび／またはイソシアヌレート基含有誘導体を意味する。
【００６１】
既に上述されたように、ポリイソシアネートは、ブロックト形態で使用されてもよいが、これが好ましいわけではない。それらは、熱の作用下に脱ブロックすることができる通常のブロッキング剤で、例えば、アルコール、オキシム、アミンおよび／またはＣＨ−酸性化合物でブロックされていてもよい。
【００６２】
ブロックトまたは好ましくは遊離のポリイソシアネートがそのようなものとして、または水および／または有機溶剤を含有する調製物として混合剤成分ＩＩに使用されてもよく、ここで、遊離のポリイソシアネートの場合には水も活性水素を持った有機溶剤も全く使用されない。例えば、ポリイソシアネートが水混和性の有機溶剤または溶剤混合物でプレ希釈されることが望ましいかもしれない。この場合には、好ましい遊離のポリイソシアネートが使用される場合に特に、イソシアネート基に対して不活性である、溶剤を使用することが好ましい。例は、いかなる活性な水素も含有しない溶剤、例えば、ジエチレングリコールジエチルエーテル、ジプロピレングリコールジメチルエーテルなどのエーテル；エチレングリコールモノブチルエーテルアセテート、ジエチレングリコールモノブチルエーテルアセテート、メトキシプロピルアセテートなどのグリコールエーテルエステル；およびＮ−メチルピロリドンである。
【００６３】
十分な数のイオン性基によっておよび／または末端もしくはラテラル・ポリエーテル鎖によって水相で安定化されるかもしれない、親水性ポリイソシアネートもまた好適である。親水性ポリイソシアネートは、例えば、名称バイハイデュール（Ｂａｙｈｙｄｕｒ）（登録商標）でバイエル（Ｂａｙｅｒ）によって商業製品として販売されている。
【００６４】
混合剤成分ＩＩは、０．０５：１〜０．５：１の顔料コンテント対樹脂固形分コンテントの重量比を示す。顔料コンテントおよび樹脂固形分コンテントの固形分寄与の合計は、混合剤成分ＩＩの例えば、２０〜１００重量％、一般に、３０〜９５重量％、特に、４５〜９５重量％である。
【００６５】
混合剤成分ＩＩの顔料コンテントは、所与の（特定の）未変性水性ベースコート、所与の特有の全体プロセス膜厚（およびいずれの場合もまた変性水性ベースコートについておよび未変性水性ベースコートについて特有の個々のプロセス膜厚）、０．２〜１、好ましくは０．２〜０．８重量部のポリイソシアネート：１重量部の未変性水性ベースコートの樹脂固形分コンテントの範囲での混合剤成分ＩＩと未変性水性ベースコートとの所与の混合比、ならびに混合剤成分ＩＩの０．０５：１〜０．５：１の顔料コンテント対樹脂固形分コンテントの所与の重量比で、特有の個々のプロセス膜厚の少なくとも８０％に塗布された変性水性ベースコートから、特有の個々のプロセス膜厚の少なくとも８０％に塗布された相当する未変性水性ベースコートから製造された多層コーティングとクリアコートとが色合いの一貫性を達成するようにされる。特に、混合剤成分ＩＩの顔料コンテントはタイプ（顔料コンテントを形成する顔料の定性的および定量的組成）および従って量によって選択される。
【００６６】
混合剤成分Ｉの場合にはまた、混合剤成分ＩＩの顔料コンテントは特に、遮蔽力付与顔料を含む。繰り返しを避けるために、混合剤成分Ｉの好適な顔料コンテントの例に関連して既に行われた記述について本明細書では言及される。
【００６７】
一般に、混合剤成分ＩＩの顔料コンテントを形成する顔料は粉砕される。粉砕は、当業者に公知の通常のアセンブリで行われてもよい。顔料は、ポリイソシアネートの存在下に、すなわち、そのようなものとしてのポリイソシアネート中で直接、または有機および／または水性調製物としてのポリイソシアネート中で粉砕されてもよい。１種もしくはそれ以上の粉砕樹脂が本明細書では粉砕助剤として加えられてもよい。あるいはまた、一般にまた好ましくは、しかしながら、粉砕樹脂または粉砕樹脂の混合物の形態での別個の粉砕媒体中で粉砕を行うこともまた可能である。特に、遊離のポリイソシアネートを含有する好ましい混合剤成分ＩＩを製造するときは、別個の粉砕媒体を使用することが目的にかなっている。
【００６８】
粉砕助剤または別個の粉砕媒体として好適な粉砕樹脂は、顔料の粉砕中に、混合剤成分ＩＩのさらなる成分との混合時に、特に遊離のまたはブロックトポリイソシアネートとの混合時におよび完成した変性水性ベースコート中でだけでなく、未変性水性ベースコートとのさらなる混合時に不活性であるもの、例えば、適切な（メタ）アクリル共重合体またはポリウレタン樹脂である。
【００６９】
特に、遊離のポリイソシアネートを含有する好ましい混合剤成分ＩＩの製造の場合には、イソシアネート基に不活性である粉砕樹脂が粉砕助剤としてまたは、特に粉砕媒体として使用される。完全エーテル化アミノ樹脂、特に、ヘキサメトキシメチルメラミンなどの、特に、完全エーテル化メラミン樹脂が驚くべきことにこの目的に非常に好適であることが分かった。粉砕は本明細書では、例えば、０．１：１〜３：１の顔料対完全エーテル化アミノ樹脂の固形分重量比で、遊離のポリイソシアネートの不存在下に完全エーテル化アミノ樹脂中で好ましくは進行し、前記比はとりわけ、使用される顔料の種類に依存する。
【００７０】
先行段落との関連で特に好ましい混合剤成分ＩＩは、１〜１５重量％の完全エーテル化アミノ樹脂と８５〜９９重量％のポリイソシアネート、特に遊離のポリイソシアネートとの合計１００重量％になる組み合わせからなる樹脂固形分コンテントを有する。
【００７１】
アルミニウムフレーク顔料は粉砕されないが、代わりに一般に、通常の市販の非水性ペーストの形態で最初に導入され、場合により、好ましくは水希釈性有機溶剤および場合により、添加剤と組み合わせられ、次にポリイソシアネートと混合される。粉状のアルミニウムフレーク顔料は、好ましくは水希釈性有機溶剤および場合により添加剤と先ず処理されてペーストをもたらしてもよい。
【００７２】
いったん顔料調製物が製造されたら、それらは、任意の残りのまたは欠けている成分と混合することによって完成した混合剤成分ＩＩへ調合される。特に、粉砕がポリイソシアネートの存在下に行われなかった場合、後者は混ぜ込まれて完成した混合剤成分ＩＩをもたらす。
【００７３】
遊離のポリイソシアネートを含有する好ましい混合剤成分ＩＩを製造するとき、水の意図的な添加を回避することのみならず、できる限り最も広範に、好ましくは完全に水を排除して、そして一般にはまたできる限り最も広範に、好ましくは完全にイソシアネート基に反応性である他の物質、例えば、アルコールなどを排除して処理を行うこともまた目的にかなっている。適切な原材料を選択することは別として、水と結合する助剤と共に作業することもさらに可能である。例えば、オルトエステルなどの、水捕捉剤が、遊離のポリイソシアネートを含有する混合剤成分ＩＩの製造および貯蔵中に添加されてもよい。
【００７４】
混合剤成分ＩＩは場合により、例えば、固形分コンテントに対して０〜１０重量％で、１種もしくはそれ以上のフィラーを含有してもよい。混合剤成分に使用できるフィラーの例は、硫酸バリウム、カオリン、タルカム、二酸化ケイ素、層状ケイ酸塩である。
【００７５】
混合剤成分ＩＩは、それが遊離のポリイソシアネートを全く含有しない場合、例えば、２０〜７０重量％の水を含有してもよい。
【００７６】
混合剤成分ＩＩは、例えば、５〜７０重量％の総量で、１種もしくはそれ以上の有機溶剤を含有してもよい。溶剤は好ましくは水希釈性である。遊離のポリイソシアネートを含有する好ましい混合剤成分ＩＩの場合には、溶剤はイソシアネート基に不活性であるものである。好適な溶剤の例は、例えば、ジエチレングリコールジエチルエーテル、ジプロピレングリコールジメチルエーテルなどのエーテル；エチレングリコールモノブチルエーテルアセテート、ジエチレングリコールモノブチルエーテルアセテート、メトキシプロピルアセテートなどのグリコールエーテルエステル；およびＮ−メチルピロリドンである。
【００７７】
少なくとも１種のポリイソシアネートおよび顔料コンテントを形成する顔料およびいずれの場合も任意の成分フィラー、水、有機溶剤および粉砕樹脂に加えて、混合剤成分ＩＩはいずれの場合も、例えば、一般に５重量％以下の総量に相当する、０．１〜２重量％の割合で添加剤を含有してもよい。添加剤の例は、混合剤成分Ｉについて既に述べられたものと同じものである。
【００７８】
未変性水性ベースコートおよび顔料入り混合剤成分ＩまたはＩＩは好ましくは、変性水性ベースコートの塗布のちょっと前にまたは直前にユーザーの構内で混合される。工業的なコーティング施設の場合には、いずれの場合も異なる色合いの未変性水性ベースコートはそれぞれ、それら独自の循環ラインで搬送される。本発明による方法では、たった１種の混合剤成分で、または２種もしくはそれ以上、例えば２〜５の、いずれの場合も異なる顔料入り混合剤成分で作業することが可能である。水性ベースコートが２つもしくはそれ以上の色合いの色合いプログラムで塗布される場合、それぞれが異なる顔料着色を有する２種以上の顔料入り混合剤成分を使用することが目的にかなっているかもしれないし、未変性水性ベースコートの特定の色合いと顔料入り混合剤成分の色合いとの間の特定の調節を行うことが望ましい。例えば、２つもしくはそれ以上のカラー群の未変性水性ベースコートが形成され、いずれの場合も異なる顔料入りの混合剤成分の１つに割り振られてもよい。例えば、淡い色合いの未変性水性ベースコートの場合には、当業者は、淡着色顔料コンテントの混合剤成分を選択する傾向があろう。
【００７９】
顔料入り混合剤成分は、いつでも使用できる形態でユーザーに供給されてもよい。しかしながら、それらはまた、顔料を含まない成分を顔料入り成分、例えば、顔料ペーストと混合することによってユーザーの構内で製造されてもよく、その後得られた顔料入り混合剤成分は次に未変性水性ベースコートと混合される。両方の記述された混合プロセス、すなわち、顔料を含まない成分と顔料入り成分との混合および顔料入り混合剤成分と未変性水性ベースコートとの混合は、工業コーティング施設で通常の混合技術を用いて、ケニックス（Ｋｅｎｉｃｓ）ミキサーなどの、例えば、静的ミキサーを用いて、自動的に進行してもよい。
【００８０】
異なる色に着色された未変性水性ベースコートのような、顔料入り混合剤成分は、いずれの場合もそれ自体の専用の循環ラインで搬送されてもよい。ｎ個の色合いの色合いプログラムで水性ベースコートを塗布するとき、例えば２ｎ個の循環ライン（いずれの場合も、異なる色の未変性水性ベースコート用および異なる色の変性水性ベースコート用のｎ個の循環ライン）を提供することはそれ故必要ではないが、むしろ異なる色の未変性水性ベースコート用のちょうどｎ個の循環ラインと、顔料入り混合剤成分用のｍ個、例えば、１〜５個の循環ラインとを提供する必要がある。
【００８１】
基材をコートするために選択された色合いプログラムがまた、十分な遮蔽力を有する問題のない色合いの未変性水性ベースコートを含む場合には、問題のない色合いの未変性水性ベースコートが変性水性ベースコートを調製するという目的のために顔料入り混合剤成分の１つと混合されることは必ずしも必要ではないが、これらの場合には代わりに、類似の顔料を含まない混合剤成分、例えば、プレ先行段落に述べられたような顔料を含まない成分で作業することもまた可能である。しかしながら、このアプローチは一般に、顔料を含まない混合剤成分用の追加の循環ラインを必要とする。言い換えれば、色合いプログラムが問題のある色合いのおよびまた問題のない色合いの両方の未変性水性ベースコートを含む場合、変性水性ベースコートが、問題のある色合いを含む未変性水性ベースコートを顔料入り混合剤成分と混合することによって、および問題のない色合いを含む未変性水性ベースコートを顔料を含まない混合剤成分と混合することによって製造されることが好ましい。例えば、この場合には、問題のない色合いの異なる色に着色された未変性水性ベースコート用のｎ個の循環ラインと、問題のない色合いの異なる色に着色された未変性水性ベースコート用のｎ’個の循環ラインと、顔料を含まない混合剤成分用の１個の循環ラインと、顔料入り成分用のｍ個、例えば１〜５個の循環ラインとが必要とされる。
【００８２】
本発明による方法は、顔料入り混合剤成分が、いずれの場合も別々にそしてそのように引き続いてまたは、より少なく好ましくは、同時に顔料を含まない成分と顔料入り成分とを未変性水性ベースコートに混ぜ込むことによってその場で形成されるようなやり方でまた有利に行われてもよい。顔料を含まない成分が、例えば、静的ミキサーを用いて未変性水性ベースコートに混ぜ込まれてもよく、その後顔料入り成分が次に、同様にさらなる静的ミキサーを用いて、得られた混合物に混ぜ込まれ、または逆もまた同様である。顔料入り混合剤成分ＩＩの場合には、先ず顔料入り成分に混ぜ入れることが好ましい。
【００８３】
本発明による方法では、ＥＤＣ下塗り基材は、好ましくは静電気支援の高速回転霧化によって、変性水性ベースコートで最初にスプレーコートされる。
【００８４】
次に、好ましくは、例えば、２０〜２５℃の気温で３０秒〜５分間の短いフラッシュオフ段階後に、相当する未変性水性ベースコートが、好ましくは空気圧スプレー塗布によってスプレー塗布される。
【００８５】
これに好ましくはまた、例えば、２０〜１００℃の気温で３０秒〜１０分の短いフラッシュオフ段階が続き、その後クリアコートが、例えば２０〜６０μｍの乾燥膜厚で塗布される。
【００８６】
全ての公知クリアコートが原則としてクリアコートとして好適である。使用できるクリアコートは、溶剤含有１成分（１パック）もしくは２成分（２パック）クリアコートの両方、水希釈性１パックもしくは２パック・クリアコート、粉末クリアコートまたは水性粉末クリアコートスラリーである。
【００８７】
任意のフラッシュオフ段階後に、変性および未変性水性ベースコートからなる塗布された水性ベースコート層とクリアコート層とは、例えば、８０〜１６０℃対象物温度で、例えば、ベークすることによって、一緒に硬化させられる。
【００８８】
本発明による方法によって製造された多層コーティングの修理コーティングが、修理の区域で色合いのいかなる偏差もなしに、問題のある関連色合いの未変性水性ベースコートで実施できることが有利である。言い換えると、修理コーティングが相当する未変性水性ベースコートのみを使用してそして変性水性ベースコートを使用しないで行われる場合でさえ、既に上に述べられた種類の色合いの一貫性は保証される。
【実施例】
【００８９】
実施例１（顔料入り混合剤成分の製造）
次の組成の顔料入り混合剤成分を、通常の方法（ビーズミルでの顔料の粉砕）で製造した：
１９．４ｐｂｗ（重量部）の樹脂固形分（ポリウレタン・バインダー、バイエル（Ｂａｙｅｒ）製のベイヒドロール（Ｂａｙｈｙｄｒｏｌ）（登録商標）ＰＴ２４１）
２８．０ｐｂｗの二酸化チタン（デュポン（ＤｕＰｏｎｔ）製のタイピュア（ＴｉＰｕｒｅ）（登録商標）Ｒ７０６）
０．２ｐｂｗのジメチルエタノールアミン
０．６ｐｂｗのポリアクリル酸増粘剤
２．６ｐｂｗの消泡剤
３９．６ｐｂｗの脱イオン水
９．６ｐｂｗの有機溶剤（４．０ｐｂｗのエチレングリコールモノブチルエーテル、３．８ｐｂｗのジエチレングリコールモノブチルエーテル、１．８ｐｂｗのｎ−プロパノール）。
【００９０】
実施例２（顔料を含まない混合剤成分の製造）
実施例１と同じ方法を、しかし二酸化チタンを使用することなく用いた。
【００９１】
実施例３（水性ベースコートの製造）
ａ）次の組成のイエロー水性ベースコートを製造した：
１８．０ｐｂｗの樹脂固形分（８．１ｐｂｗのポリエステルアクリレート樹脂、６．２ｐｂｗのポリウレタン樹脂、３．７ｐｂｗのヘキサメトキシメチルメラミン）
０．４ｐｂｗのチバ（Ｃｉｂａ）製のイルガジン（Ｉｒｇａｚｉｎ）（登録商標）イエロー（Ｙｅｌｌｏｗ）２ＲＬＴ
２．９ｐｂｗの二酸化チタン（デュポン製のタイピュア（登録商標）Ｒ７０６）
５．０ｐｂｗのチバ製のイルガカラー（Ｉｒｇａｃｏｌｏｒ）（登録商標）イエロー３ＧＬＭ
４．２ｐｂｗのホイバッハ（Ｈｅｕｂａｃｈ）製のホイコデュア・イエロー（Ｈｅｕｃｏｄｕｒ  Ｙｅｌｌｏｗ）３Ｒ
０．３ｐｂｗのジメチルエタノールアミン
０．２ｐｂｗの消泡剤
０．６ｐｂｗのポリアクリル酸増粘剤
１．０ｐｂｗのポリプロピレングリコール９００
１４．６ｐｂｗの有機溶剤（４．２ｐｂｗのエチレングリコールモノブチルエーテル、１．７ｐｂｗのジエチレングリコールモノブチルエーテル、０．７ｐｂｗのエチレングリコールモノヘキシルエーテル、３．０ｐｂｗのＮ−メチルピロリドン、３．５ｐｂｗのｎ−ブタノール、１．０ｐｂｗのｎ−プロパノール、０．５ｐｂｗのシェルソル（Ｓｈｅｌｌｓｏｌ）Ｔ）
５２．８ｐｂｗの脱イオン水。
【００９２】
イエロー未変性水性ベースコートは、５２μｍの黒／白不透明度および１５μｍの特有の個々のプロセス膜厚を有した。
【００９３】
ｂ）ａ）からの１００ｐｂｗの未変性水性ベースコートを実施例１からの２００ｐｂｗの混合剤成分と混合することによって変性水性ベースコートを製造した。変性水性ベースコートは１５μｍの特有の個々のプロセス膜厚を有した。
【００９４】
ｃ）ａ）からの１００ｐｂｗの未変性水性ベースコートを、ポリウレタン・バインダー（バイエル製のベイヒドロール（登録商標）ＰＴ２４１）対ａ）からの未変性水性ベースコートの樹脂固形分のｂ）でと同じ重量比を達成するためのかかる量の実施例２からの調製物と混合することによって水性コーティング組成物を製造した。
【００９５】
実施例４ａ〜４ｃ（多層コーティングの製造）
４ａ）多層コーティング４ａを以下の手順によって得た：
サイズが３００ｍｍ×６００ｍｍの、濃い灰色のＥＤＣプライマーを備えた自動車スチール試験パネルに変性水性ベースコート３ｂを１２μｍの乾燥膜厚でスプレー塗布した（垂線に対して４５°の照明角度および正反射に対して４５°の観測角で、比色分析で測定された、明度Ｌ*＝８）。
【００９６】
室温で２分間フラッシュオフした後、未変性水性ベースコート３ａを０〜２０μｍの乾燥膜厚範囲に楔形勾配（長軸方向に楔）でスプレー塗布し、８０℃で５分間フラッシュオフするに任せた。
【００９７】
フラッシュオフ・ベースコート層をこのように備えた試験パネルを次に、４０μｍの乾燥膜厚で市販の２成分ポリウレタン・クリアコートでスプレーコートし、２０℃で５分間フラッシュオフした後、１４０℃対象物温度で２０分間ベークした。
【００９８】
４ｂ）：多層コーティング４ｂを、水性コーティング組成物３ｃを水性ベースコート３ｂの代わりに使用するという相違点ありで実施例４ａを繰り返すことによって得た。
【００９９】
４ｃ）：さらなる多層コーティング４ｃを、変性水性ベースコート３ｂも水性コーティング組成物３ｃも使用することなく製造した。この目的を達成するために、未変性水性ベースコート３ａを、濃い灰色のＥＤＣプライマーを備えた自動車スチールパネルに６０μｍの乾燥膜厚でスプレー塗布した。この目的を達成するために、いずれの場合も３つのスプレーパス、引き続き７０℃で５分の強制乾燥工程を行った。その後、２成分ポリウレタン・クリアコートを４０μｍの乾燥膜厚でスプレー塗布し、２０℃で５分間フラッシュオフした後、１４０℃対象物温度で２０分間ベークした。
【０１００】
このように得られた多層コーティング４ａおよび４ｂをいずれの場合も、会社Ｘ−ライトによって販売されるＸ−ライトＭＡ６８ＩＩ機器を用いて米国特許第５，９９１，０４２号明細書から公知の方法に従って垂線に対して４５°の照明角度および正反射に対して４５°の観測角で、比色分析で評価した。多層コーティング４ｃを、同じ機器を用いて比色分析で測定した。
【０１０１】
表１は、未変性水性ベースコート３ａの乾燥膜厚の関数として比色分析データから計算されたデルタＥ値を示す［デルタＥ4a＝（Ｌ*4c2−Ｌ*4a2＋ｃ*4c2−ｃ*4a2＋ｈ*4c2−ｈ*4a2）の平方根；デルタＥ4b＝（Ｌ*4c2−Ｌ*4b2＋ｃ*4c2−ｃ*4b2＋ｈ*4c2−ｈ*4b2）の平方根］。
【０１０２】
表１
0005428037.tif 000002
次に、本発明の好ましい態様を示す。
1.  １）ベースコート層を、ＥＤＣプライマーを備えた基材に１０〜３５μｍの範囲の全体プロセス膜厚で塗布する工程と、
２）クリアコート層を前記ベースコート層上へ塗布する工程と、
３）前記ベースコート層およびクリアコート層を一緒に硬化させる工程と
の連続工程を含む、多層コーティングの製造方法であって、
ベースコート層が第１層におよび第２層に塗布され、前記第１層が、未変性水性ベースコートを顔料入り混合剤成分と混合することによって調製された変性水性ベースコートを含み、そして前記第２層が前記未変性水性ベースコートを含み、
前記未変性水性ベースコートが２５μｍより大きい黒／白不透明度を有し、
前記混合剤成分が混合剤成分Ｉおよび混合剤成分ＩＩからなる群から選択され、ここで、混合剤成分Ｉは１種もしくはそれ以上のバインダーＡを含み、０．０５：１〜１．５：１の顔料コンテント対樹脂固形分コンテントの重量比を有し、そして０．１〜２．５部のバインダーＡ：１部の未変性水性ベースコートの樹脂固形分の重量比で前記未変性水性ベースコートに混ぜ込まれ、かつここで、混合剤成分ＩＩは１種もしくはそれ以上のポリイソシアネートを含み、０．０５：１〜０．５：１の顔料コンテント対樹脂固形分コンテントの重量比を有し、そして０．２〜１部のポリイソシアネート：１部の前記未変性水性ベースコートの樹脂固形分の重量比で前記未変性水性ベースコートに混ぜ込まれ、そして、
前記混合剤成分の前記顔料コンテントが、工程３）後に達成される多層コーティングが変性水性ベースコートから塗布された層および前記未変性水性ベースコートから塗布された層の両方の個々のプロセス膜厚のいずれの場合も少なくとも８０％から色合いの一貫性を達成するようにされる方法。
2.  前記基材が自動車車体および自動車車体部品からなる群から選択される、上記１に記載の方法。
3.  前記変性水性ベースコートの第１ベースコート層の個々のプロセス膜厚が５〜２５μｍの範囲にあり、そして前記未変性水性ベースコートの第２ベースコート層の個々のプロセス膜厚が３〜２０μｍの範囲にある、上記１または２に記載の方法。
4.  前記未変性水性ベースコートが、それにのみ、かつ１０〜３５μｍの範囲内の特有の全体プロセス膜厚に塗布されたベースコート層が、２８０〜３８０ｎｍの波長範囲で０．１％より下の、３８０〜４００ｎｍの波長範囲で０．５％より下の、そして４００〜４５０ｎｍの波長範囲で１％より下のＵＶ透過率値に従ってのみＵＶ光を透過させるような水性ベースコートを含む、上記１〜３のいずれか一項に記載の方法。
5.  （ｉ）０．１〜１部のバインダーＡ：１部の前記未変性水性ベースコートの樹脂固形分の重量比で前記未変性水性ベースコートと混合される顔料入り混合剤成分Ｉか、
（ｉｉ）０．２〜０．８部のポリイソシアネート：１部の前記未変性水性ベースコートの樹脂固形分の重量比で前記未変性水性ベースコートと混合される顔料入り混合剤成分ＩＩか
のどちらかを含む上記１〜４のいずれか一項に記載の方法。
6.  前記混合剤成分の前記顔料コンテントが８０重量％もしくはそれ以上のカーボンブラック、二酸化チタンまたはカーボンブラックと二酸化チタンとの組み合わせを含む、上記１〜５のいずれか一項に記載の方法。
7.  前記混合剤成分の前記顔料コンテントが少なくとも９５重量％の二酸化チタンを含む、上記６に記載の方法。
8.  前記顔料入り混合剤成分が、顔料を含まない成分を顔料入り成分と混合することによって調製される、上記１〜７のいずれか一項に記載の方法。
9.  前記顔料入り混合剤成分が、前記顔料を含まない成分と前記顔料入り成分とを前記未変性の水性ベースコートに別々に混ぜ込むことによってその場で形成される、上記８に記載の方法。
10.  前記変性水性ベースコートが静電気支援の高速回転霧化によって塗布され、そして前記未変性ベースコートが空気圧でスプレー塗布される、上記１〜９のいずれか一項に記載の方法。
11.  上記１〜１０のいずれか一項に記載の方法に従って製造された多層コーティングでコートされた基材。